(57)【要約】【課題】連続洗浄性の向上を図り、タンクの小型化をより推し進めながらも、便器洗浄時に、タンク貯水時の位置に遮蔽部が切り替わることを防ぎ、切り替えの安定性を向上させることができる水洗大便器装置を提供すること。【解決手段】この水洗大便器装置ＦＴは、便器洗浄モードと、タンク貯水モードとを切り替える進行方向切替手段３５０を有し、この進行方向切替手段３５０は、タンク貯水モード時に、噴射された水の進行方向をスロート管３２０の外部に指向させる遮蔽部３５２と、遮蔽部３５２をノズル３１０の噴射口近傍で回動させるものであって、遮蔽部３５２を第一方向及び第二方向に回動させる回動機構３５３と、便器洗浄モード時に、ジェットポンプ作用によって誘引される水により遮蔽部３５２が第一方向に回動することを防止するために、第二方向の力を付与するように、遮蔽部３５２の反対側に設けられた切替安定部材３５１と、を有する。【選択図】図６
2015068066.tif 000002
【特許請求の範囲】
【請求項１】
洗浄水によって汚物を排水管に排出する水洗大便器装置であって、
汚物を受け止めるボウル部と、洗浄水として供給される水を前記ボウル部に導く導水路と、を有する大便器本体と、
前記導水路に供給される水を内部に貯留するタンクと、
前記タンクの内部において少なくとも一部が水没した状態で配置されたジェットポンプユニットと、を備え、
前記ジェットポンプユニットは、
一端側に吸引口が形成された管であって、前記吸引口から内部に流入した水が前記導水路に供給されるように配置されたスロート管と、
前記吸引口から前記スロート管の内部に向けて水を噴射することにより、ジェットポンプ作用を誘発させるノズルと、
前記ノズルから噴射された水の進行方向を切り替えることで、前記噴射された水の進行方向が前記スロート管の内部に向かう便器洗浄モードと、前記噴射された水の進行方向が前記スロート管の外部に向かうタンク貯水モードとを切り替える進行方向切替手段と、を有し、
前記進行方向切替手段は、
前記タンク貯水モード時に、前記噴射された水の進行方向を前記スロート管の外部に指向させる遮蔽部と、
前記遮蔽部を前記ノズルの噴射口近傍において回動させるものであって、
前記遮蔽部が回動軸を中心に前記便器洗浄モードから前記タンク貯水モードに移行するための方向である第一方向及び前記第一方向とは逆方向の第二方向に回動させる回動機構と、を有し、
前記便器洗浄モード時において、前記ジェットポンプ作用によって誘引される水により前記遮蔽部が第一方向に回動することを防止するために、前記誘引される水により前記第一方向と逆方向である第二方向の力を付与するよう前記回動軸に対して前記遮蔽部の反対側に切替安定部材を設けたことを特徴とする水洗大便器装置。
【請求項２】
前記遮蔽部は、
前記便器洗浄モードから前記タンク貯水モードに切り替わる際に、前記噴射された水を前記第二方向に指向させるように構成されたガイド面を有することを特徴とする請求項１に記載の水洗大便器装置。
【請求項３】
前記進行方向切替手段は、前記噴射された水の進行方向を前記タンク内の水位に連動して切り替えるフロート部材を有し、
前記切替安定部材は、その一部を前記フロート部材とするように構成され、且つ、前記ノズル近傍を回動するように構成されることを特徴とする請求項１又は２に記載の水洗大便器装置。
【請求項４】
前記フロート部材は、垂直方向の長さよりも、水平方向の長さの方が長い扁平形状であることを特徴とする請求項３に記載の水洗大便器装置。
【請求項５】
前記第一方向に力を受ける前記遮蔽部の第一受圧面よりも、前記第二方向に力を受ける前記切替安定部材の第二受圧面の方が大きいことを特徴とする請求項１、３又は４に記載の水洗大便器装置。
【請求項６】
前記ノズルは、少なくとも一部が前記スロート管の内部に位置し、
前記遮蔽部は、前記噴射された水の方向を転換するのに寄与する方向転換部分を有するとともに、前記タンク貯水モード時には前記方向転換部分が前記噴射された水の方向を転換できるように前記スロート管の内部に位置し、前記便器洗浄モード時には前記方向転換部分が前記噴射された水に干渉しないように前記スロート管の外部に位置することを特徴とする請求項１乃至５いずれか一項に記載の水洗大便器装置。
【発明の詳細な説明】
【技術分野】
【０００１】
本発明は、洗浄水によって大便器本体を洗浄する水洗大便器装置に関する。
【背景技術】
【０００２】
従来、大便器本体に洗浄水を供給するための機構として、ジェットポンプ式の給水機構を有する水洗大便器装置がある。
【０００３】
このジェットポンプ式の給水機構は、水を貯留したタンクを備えており、当該タンクの内部に、ジェットポンプユニットが水没した状態で配置されている。ジェットポンプユニットはスロート管を有しており、当該スロート管の一端は大便器本体のボウル部に向かう流路に接続され、他端には開口が形成されている。噴射ノズルから、開口を通じてスロート管の内部に向かうように水が噴射されると、ジェットポンプ作用が誘発されることによって、スロート管の内部ではボウル部に向かって大流量の水が流れる。噴射ノズルから噴射された水のみならず、タンク内に貯留されていた水も引き込まれてスロート管の内部を流れるため、大便器本体には大流量の洗浄水が供給される。
【０００４】
ここで、ジェットポンプ式の給水機構においては、洗浄水として大便器本体に供給する水の全てをタンク内に貯留しておく必要がない。このため、タンク式の給水機構に比べてタンクを小型化することができる上、タンクを満水位にするために必要な時間を短くすることができるという利点がある。また、フラッシュバルブ式の給水機構に比べて給水配管内の水圧が比較的低い環境に水洗大便器装置が設置された場合であっても、大流量の洗浄水を大便器本体に供給することができる。更に、給水配管を大口径とするような大掛かりな工事を必要としないという利点もある。
【０００５】
また、ジェットポンプ式の給水機構においては、タンクを満水位にするための時間が短いので、連続して大便器本体を洗浄するための連続洗浄性を向上させることができる。この連続洗浄性をさらに向上させるため、ジェット水流の流路を切り替えて大便器給水やタンク貯水を行う技術がある。
【０００６】
例えば、ジェット水流を切り替える技術として、流れ転換器を用いて、リザーバが満たされているときにはジェットノズルから流体導管の入口内へ、または、リザーバが空の場合に、ジェットノズルから流体導管の入口を離れてリザーバ内へと、流れを方向転換する技術が開示されている（下記特許文献１参照）。
【０００７】
また、ジェット水流を切り替える他の技術として、水位に応じてスロートの入口を離れたり、スロートの入口にとどまったりするボール案内管内のボールや、排出管を閉鎖したり開放したりする向きに力を及ぼすような空気袋と連結した構造である開閉膜や、スロート管の一部を管折れさせる構造を用いて、水位に応じて給水を貯水槽とリム側に転換する技術が開示されている（下記特許文献２参照）。
【先行技術文献】
【特許文献】
【０００８】
【特許文献１】特開２０１２−５２８９６０号公報
【特許文献２】特許４７１３５７５号公報
【発明の概要】
【発明が解決しようとする課題】
【０００９】
しかしながら、上記従来技術では、インレット上部に固定される流れ転換部や、ボール案内管など、比較的大きな構造を用いてジェット水流を切り替えており、タンクのさらなる小型化を図ることができない。
【００１０】
一方で、タンクをさらに小型化しようとすると、ジェット水の流路を切り替えるための構造において、流路の切り替えに用いる遮蔽部が移動する範囲を狭くすることが求められる。そこで、本発明者らが鋭意研究を行ったところ、遮蔽部の移動範囲を狭くし且つその構造を簡便なものとするためには、遮蔽部をノズル近傍で回動させることが一つの好ましい態様であるとの知見を得た。このような態様では、遮蔽部はノズル近傍で回動し、便器洗浄時にはノズルから噴射されるジェット水に干渉しないような位置に配置され、タンク貯水時にはノズルから噴射されるジェット水に干渉するような位置に配置される。
【００１１】
しかしながら、遮蔽部をノズル近傍で回動させる場合、遮蔽部の移動範囲は狭くなるが、ノズルから噴射されるジェット水や、そのジェット水によって誘引される水の影響を受けやすくなる。具体的には、便器洗浄時においてもノズル近傍に遮蔽部が位置することになり、ジェット水によって誘引される水によって、遮蔽部がタンク貯水時の位置に回動してしまう事象が発生する。遮蔽部がタンク貯水時の位置に回動すれば、遮蔽部がジェット水に干渉することになり、便器洗浄途中でタンク貯水に切り替わってしまうという、遮蔽部をノズル近傍で回動させるが故の新たな課題が生じることが判った。
【００１２】
本発明はこのような課題に鑑みてなされたものであり、その目的は、連続洗浄性の向上を図り、遮蔽部をノズル近傍に設けることでタンクの小型化をより推し進めながらも、便器洗浄時に、タンク貯水時の位置に遮蔽部が切り替わることを防ぎ、切り替えの安定性を向上させることができる水洗大便器装置を提供することにある。
【課題を解決するための手段】
【００１３】
上記課題を解決するために、本発明に係る水洗大便器装置は、洗浄水によって汚物を排水管に排出する水洗大便器装置であって、汚物を受け止めるボウル部と、洗浄水として供給される水を前記ボウル部に導く導水路と、を有する大便器本体と、前記導水路に供給される水を内部に貯留するタンクと、前記タンクの内部において少なくとも一部が水没した状態で配置されたジェットポンプユニットと、を備え、前記ジェットポンプユニットは、一端側に吸引口が形成された管であって、前記吸引口から内部に流入した水が前記導水路に供給されるように配置されたスロート管と、前記吸引口から前記スロート管の内部に向けて水を噴射することにより、ジェットポンプ作用を誘発させるノズルと、前記ノズルから噴射された水の進行方向を切り替えることで、前記噴射された水の進行方向が前記スロート管の内部に向かう便器洗浄モードと、前記噴射された水の進行方向が前記スロート管の外部に向かうタンク貯水モードとを切り替える進行方向切替手段と、を有し、前記進行方向切替手段は、前記タンク貯水モード時に、前記噴射された水の進行方向を前記スロート管の外部に指向させる遮蔽部と、前記遮蔽部を前記ノズルの噴射口近傍において回動させるものであって、前記遮蔽部が回動軸を中心に前記便器洗浄モードから前記タンク貯水モードに移行するための方向である第一方向及び前記第一方向とは逆方向の第二方向に回動させる回動機構と、を有し、前記便器洗浄モード時において、前記ジェットポンプ作用によって誘引される水により前記遮蔽部が第一方向に回動することを防止するために、前記誘引される水により前記第一方向と逆方向である第二方向の力を付与するよう前記回動軸に対して前記遮蔽部の反対側に切替安定部材を設けたことを特徴とする。
【００１４】
このように構成された本発明においては、遮蔽部をノズル近傍で回動させることにより、遮蔽部の移動範囲を小さくすることができ、タンクをさらに小型化することができる。タンクを小型化するために遮蔽部をノズル近傍で回動させると、ノズルから噴射される水の影響を受けやすくなる。遮蔽部は、便器洗浄モード中においてもノズル近傍に位置するため、ノズルから噴射される水によって誘引される水により、遮蔽部は第一方向に回動する力を受ける。これにより、便器洗浄モード中であってもタンク貯水モードに切り替る恐れがある。
【００１５】
そこで本発明では、回動軸を挟んで遮蔽部の反対側に切替安定部材を設けることで、便器洗浄モード中に誘引される水によって、第一方向とは逆方向の第二方向へ回動する力を遮蔽部に作用させることができる。よって、遮蔽部が便器洗浄モードからタンク貯水モードに移行するための方向とは逆方向である第二方向へ回動する力を遮蔽部に作用させることができるので、便器洗浄モード途中でタンク貯水モードに切り替ることがなく、モード切り替えの安定性が向上する。
【００１６】
本発明の遮蔽部は、好ましくは、前記便器洗浄モードから前記タンク貯水モードに切り替わる際に、前記噴射された水を前記第二方向に指向させるように構成されたガイド面を有する。
【００１７】
本発明においては、便器洗浄モードからタンク貯水モードに切り替わる際において、切替安定部材が噴射された水によって誘引される水の力を受けて遮蔽部に第二方向へ回動する力を作用させるので、便器洗浄モードからタンク貯水モードに切り替わりにくくなっている。一方、遮蔽部は、ノズルから噴射された水を第二方向に指向させるガイド面を有していることから、ノズル近傍に位置する遮蔽部が第一方向に回動を始め、ノズルから噴射された水と干渉すると、ノズルから噴射された水の進行方向は第二方向へと指向される。ノズルから噴射された水が第二方向に指向されることで、遮蔽部はその反力として第二方向と逆方向である第一方向の力を受けることとなる。このように、便器洗浄モード途中においてはタンク貯水モードに切り替わることを抑制しつつも、タンク貯水モードに切り替わる過程においては、ノズルから噴射される水の反力を利用して、便器洗浄モードからタンク貯水モードへ瞬時に切り替えることができ、モード切り替えの安定性を向上させることができる。
【００１８】
本発明の進行方向切替手段は、好ましくは、前記噴射された水の進行方向を前記タンク内の水位に連動して切り替えるフロート部材を有し、前記切替安定部材は、その一部を前記フロート部材とするように構成され、且つ、前記ノズル近傍を回動するように構成される。
【００１９】
この好ましい態様では、進行方向切替手段がフロート部材を有しており、タンク内の水位に連動してノズルから噴射された水の進行方向を切り替えているので、タンク内の水位と連動させてノズルから噴射される水の進行を切り替えることができ、構造を簡単にすることができる。また、切替安定部材の一部を進行方向を切り替えるためのフロート部材として構成することで、切替安定部材用のフロート部材を別途設ける必要がなく、この観点からも構造を簡単にすることができる。切替安定部材の一部をフロート部材とすることで、ノズルから噴射される水に誘引される水の影響でフロート部材である切替安定部材の一部が浮き上がるように作用し、確実に第二方向に回動する力を遮蔽部に作用させることができる。また、切替安定部材はノズル近傍を回動するように構成されているので、ノズルから噴射される水に誘引される水の影響を受けやすくなり、上述した第二方向に回動する力をより大きくすることができる。従って、便器洗浄モード途中において遮蔽部を第二方向に回動させる力を増大させることができ、便器洗浄モード途中でタンク貯水モードに切り替わることがなく、モード切り替えの安定性がさらに向上する。
【００２０】
本発明のフロート部材は、好ましくは、垂直方向の長さよりも、水平方向の長さの方が長い扁平形状である。
【００２１】
この好ましい態様では、フロート部材を垂直方向の長さよりも水平方向の長さが長い扁平形状とすることで、水平方向に広がった扁平形状としている。このように水平方向に広がった扁平形状とすることで、タンク内の水位の減少に対して水中から出る体積を増やすことができ、フロート部材の浮力の減少量を大きくすることができる。このようにフロート部材の浮力の減少量をタンク内の水位の減少量に対して大きくすることで、便器洗浄モードからタンク貯水モードに切り替わる際にフロート部材の浮力に連動して発生する第二方向の力もタンク内の水位の減少量に対して相対的に小さくなり、瞬時に便器洗浄モードからタンク貯水モードに切り替わることができる。このようにタンク内の水位の減少量に対して相対的に浮力の減少量を大きくすることで、モード切り替えを瞬時に行い、タンク内の水面の乱れによる影響を最小限に止めることが可能となり、便器洗浄モード中にタンク貯水モードに切り替わることや、タンク貯水モードに切り替える位置に到達しても便器洗浄モードが継続してしまうことを回避することができる。
【００２２】
本発明は、好ましくは、前記第一方向に力を受ける前記遮蔽部の第一受圧面よりも、前記第二方向に力を受ける前記切替安定部材の第二受圧面の方が大きい。
【００２３】
この好ましい態様では、切替安定部材の第二受圧面を遮蔽部の第一受圧面より大きく形成することで、便器洗浄モード時にノズルから噴射される水によって誘引される水により、切替安定部材の第二受圧面が受ける力を大きくすることができる。つまり、便器洗浄モード時に、遮蔽部の第一受圧面が、誘引される水により受ける第一方向の力よりも、切替安定部材の第二受圧面が、誘引される水により受ける第二方向の力を大きくすることができるため、便器洗浄モード途中でタンク貯水モードに切り替わることがなく、モード切り替えの安定性をさらに向上させることができる。
【００２４】
本発明のノズルは、好ましくは、少なくとも一部が前記スロート管の内部に位置し、前記遮蔽部は、前記噴射された水の方向を転換するのに寄与する方向転換部分を有するとともに、前記タンク貯水モード時には前記方向転換部分が前記噴射された水の方向を転換できるように前記スロート管の内部に位置し、前記便器洗浄モード時には前記方向転換部分が前記噴射された水に干渉しないように前記スロート管の外部に位置する。
【００２５】
この好ましい態様では、タンク貯水モード時に、遮蔽部の方向転換部分が、噴射された水の方向を転換できるようにスロート管の内部に位置するように構成することで、ノズルの少なくとも一部をスロート管の内部に位置することができるようになり、ノズルの噴射口とスロート管の吸引口とをできるだけ近づけることができる。これにより、ノズルの噴射口とスロート管の吸引口とを近づけることで、ノズルとスロート管との間のスペースである、遮蔽部が出入りするスペースを小さくすることにより、タンクの高さを低くすることができ、タンクのさらなる小型化を実現することができる。なお、遮蔽部が出入りするスペースは、他の機器等を配置することができないため、このスペースを小さくすることは、タンクの小型化に寄与する。
【００２６】
ここで、遮蔽部が、便器洗浄モード時にもスロート管の内部に位置してしまうと、流速の速いジェット水や誘引される水が、スロート管の内部に位置する遮蔽部に衝突することで圧損が生じ、ジェットポンプ性能が低下する恐れがある。そこで、この好ましい態様では、便器洗浄モード時に、遮蔽部の方向転換部分が、噴射された水に干渉しないようにスロート管の外部に位置するように構成することで、流速が遅い状態の水が遮蔽部と干渉したとしても、流速が遅い状態の水では圧損が小さいため、ジェットポンプ性能を低下させることを防ぐことができる。したがって、この好ましい態様では、ジェットポンプ性能の低下を防ぎ、タンクをさらに小型化することができる。
【発明の効果】
【００２７】
本発明の水洗大便器装置によれば、連続洗浄性の向上を図り、遮蔽部をノズル近傍に設けることでタンクの小型化をより推し進めながらも、便器洗浄時に、タンク貯水時の位置に遮蔽部が切り替わることを防ぎ、切り替えの安定性を向上させることができる。
【図面の簡単な説明】
【００２８】
【図１】本発明の第一実施形態に係る水洗大便器装置を示す断面図である。
【図２】図１に示した水洗大便器装置の上面図である。
【図３】図１に示した水洗大便器装置のタンクの内部を示す図である。
【図４】図３に示したタンクの内部に配置された、ジェットポンプユニットの動作を説明するための図である。
【図５】図１に示した水洗大便器装置の、洗浄時における動作の流れを説明するためのフローチャートである。
【図６】進行方向切替手段に含まれる切替安定部材及び遮蔽部が、ノズル近傍を回動することを説明するための図である。
【図７】便器洗浄モード時における水の流れ及び誘引される水により受ける力の関係を説明するための図である。
【図８】便器給水時における進行方向切替手段の位置及び力の受け方を説明するための図である。
【図９】便器洗浄モードからタンク貯水モードに切り替わる直前の進行方向切替手段の位置及び力の受け方を説明するための図である。
【図１０】便器洗浄モードからタンク貯水モードに切り替わる途中における進行方向切替手段の位置及び力の受け方を説明するための図である。
【図１１】タンク貯水時における進行方向切替手段の位置及び力の受け方を説明するための図である。
【図１２】便器洗浄モードからタンク貯水モードに切り替わる際に、ガイド面に加えられる力を説明するための図である。
【図１３】２つのフロート部材の形状を比較するための図である。
【図１４】便器洗浄モード及びタンク貯水モード時のノズル、スロート管、遮蔽部の位置関係について説明するための図である。
【図１５】切替安定部材の下面の例を示す図である。
【発明を実施するための形態】
【００２９】
以下、添付図面を参照しながら本発明の実施の形態について説明する。説明の理解を容易にするため、各図面において同一の構成要素に対しては可能な限り同一の符号を付して、重複する説明は省略する。
【００３０】
本発明の実施形態に係る水洗大便器装置について、図１及び図２を参照しながら説明する。図１は、水洗大便器装置ＦＴの断面図であって、水洗大便器装置ＦＴをその左右方向に垂直な面で切断した場合の断面を示している。図２は、水洗大便器装置ＦＴの上面図である。図２では、後に説明するタンク２０の内部構造を示すため、タンク２０の上蓋２０１を取り外した状態を描いている。
【００３１】
図１及び図２に示したように、水洗大便器装置ＦＴは、大便器本体１０と、大便器本体１０の後方側（図１では右側、図２では上側）において大便器本体１０の上面１０１に設置されたタンク２０とを備える。水洗大便器装置ＦＴは、大便器本体１０によって汚物を受け止めて、当該汚物を、タンク２０から供給される水（洗浄水）によって、排水管ＳＷに排出する装置である。
【００３２】
なお、以下の説明においては、特に断らない限り、大便器本体１０に着座した状態の使用者から見て右側（図２では左側）のことを「右側」と称し、大便器本体１０に着座した状態の使用者から見て左側のことを「左側」（図２では右側）と称する。また、大便器本体１０に着座した状態の使用者から見て前方側（図１では左側、図２では下側）のことを「前側」又は「前方側」と称し、大便器本体１０に着座した状態の使用者から見て後方側（図１では右側、図２では上側）のことを「後側」又は「後方側」と称する。
【００３３】
大便器本体１０は、ボウル部１１０と、リム部１２０と、導水路１３０と、排水トラップ管路１４０とを有する。ボウル部１１０は、上方から落下する汚物を一時的に受け止める部分である。リム部１２０は、ボウル部１１０の上縁部に形成されており、図１に示したように、ボウル部１１０の内側面の一部を外周側に向けて後退させたような形状となっている。後に説明するように、リム部１２０は、ボウル部１１０に向けて供給された水が旋回して流れる流路となっている。リム部１２０は、ボウル部１１０の上縁に沿って一周するような略円形（上面視）の流路として形成されている。
【００３４】
導水路１３０は、タンク２０から供給された水をボウル部１１０に導くために、大便器本体１０の内部に形成された流路である。導水路１３０は、その一端が大便器本体１０の上面１０１に開口しており、タンク２０から供給される水の入口１３１となっている。入口１３１が形成されている位置は、大便器本体１０の上面１０１のうち後方側の部分であり、且つ左右方向における中央の部分である。
【００３５】
導水路１３０は、その下流側において二つの流路（第一導水路１３２、第二導水路１３４）に分岐している。一方の流路である第一導水路１３２は、その下流側の端部がリム部１２０のうち右側の部分において開口しており、当該開口が水の出口（吐水部１３３）となっている。タンク２０から入口１３１に水が供給されると、その一部は第一導水路１３２の内部を通り、吐水部１３３から噴出してリム部１２０に供給される。
【００３６】
他方の流路である第二導水路１３４は、その下流側の端部がリム部１２０のうち左側且つ後方寄りの部分において開口しており、当該開口が水の出口（吐水部１３５）となっている。タンク２０から入口１３１に水が供給されると、その一部は第二導水路１３４の内部を通り、吐水部１３５から噴出してリム部１２０に供給される。
【００３７】
吐水部１３３から水が噴出する方向は、略円形の流路として形成されたリム部１２０の円周に沿う方向であり、且つ上面視において反時計回りの方向となる。吐水部１３５から水が噴出する方向も、略円形の流路として形成されたリム部１２０の円周に沿う方向であり、且つ上面視において反時計回りの方向となる。図２において矢印で示したように、吐水部１３３及び吐水部１３５からリム部１２０に噴出した水は、いずれもリム部１２０に沿って反時計回りに旋回して流れながら、リム部１２０の全体からボウル部１１０に向けて流下する。
【００３８】
排水トラップ管路１４０は、ボウル部１１０の下端と排水管ＳＷとを接続する流路である。排水トラップ管路１４０は、ボウル部１１０の下端から下流に向かう方向に沿って上り勾配となるように形成されている上昇流路１４１と、上昇流路１４１の上端から下流に向かう方向に沿って下り勾配となるように形成されている下降流路１４２とを有する。このような構成により、ボウル部１１０の下部から上昇流路１４１の下部に亘る部分には水を貯留することが可能となっており、貯留した水によって封水ＷＴが形成されている。下降流路１４２の下端には排水管ＳＷが接続されている。排水管ＳＷは建物の内部に配置された配管であって、その下流側の端部が不図示の下水管に接続されている。
【００３９】
タンク２０からボウル部１１０に向けて水が供給されると、上記のように、当該水はリム部１２０を旋回して流れながら、リム部１２０の全体からボウル部１１０に向けて流下する。水はボウル部１１０に対して上方から追加され、ボウル部１１０の下端部から上昇流路１４１及び下降流路１４２を通って排出される。その結果、ボウル部１１０に貯留されている水（封水ＷＴ）には下向きの流れが生じることとなる。
【００４０】
ボウル部１１０において一時的に受け止められていた汚物は、上方のリム部１２０から供給される水によって下方に向けて押し込まれ、ボウル部１１０の下端に向かって移動する。その後、汚物は水流によって上昇流路１４１を通り下降流路１４２に到達して、水と共に排水管ＳＷに向けて落下する。
【００４１】
タンク２０は内部に水が貯留された容器であって、当該水を導水路１３０の入口１３１に供給するためのものである。タンク２０は、第一タンク部２１０と、第一タンク部２１０の底壁２１１の一部を下方に伸ばすように形成された第二タンク部２２０とを有している。第一タンク部２１０と第二タンク部２２０はいずれも略直方体の容器であって、両者の内部空間が互いに連通している。第二タンク部２２０は、第一タンク部２１０の底壁２１１のうち後方側の部分に接続されている。
【００４２】
第一タンク部２１０の底壁２１１（第二タンク部２２０よりも前方側の部分）は、大便器本体１０の上面１０１のうち後方側の部分に対して上方から近接した状態となっている。具体的には、大便器本体１０の上面１０１のうち後方側の部分には入口１３１が形成されているが、第一タンク部２１０の底壁２１１は、入口１３１の周囲を上方から覆うように、大便器本体１０の上面１０１に対して上方から近接した状態となっている。また、底壁２１１には入口１３１と略同一形状の開口２１２が形成されており、開口２１２と入口１３１とが上面視で重なっている。このため、タンク２０の内部に貯留されている水は、開口２１２及び入口１３１を通って導水路１３０の内部に流入し、ボウル部１１０に向かって流れることが可能となっている。
【００４３】
第一タンク部２１０を上記のように配置した結果、第二タンク部２２０は大便器本体１０よりも後方に位置している。すなわち、大便器本体１０の後方側端部よりも更に後方側に位置した状態となっている。また、第二タンク部２２０の底壁２２１は、大便器本体１０の上面１０１よりも低い位置に配置されている。
【００４４】
上記のようにタンク２０が配置されることにより、タンク２０の前端部が、大便器本体１０の後端部よりも前方側に位置している。また、タンク２０の下端部が、大便器本体１０の上面１０１よりも下方側に位置している。その結果、水洗大便器装置ＦＴ全体の前後方向における寸法と、上下方向における寸法とが、いずれも小さくなっており、水洗大便器装置ＦＴのデザイン性が向上している。
【００４５】
次に、タンク２０の内部の構成について説明する。図３は、水洗大便器装置ＦＴを後方側から見た場合における、タンク２０の内部を示す斜視図である。図３に示したように、タンク２０の内部には、給水管２３１と、主弁２３３と、パイロット弁２３４と、ジェットポンプユニット３００とが配置されている。
【００４６】
給水管２３１は、主弁２３３に向けて水を供給するための管であって、第二タンク部２２０の底壁２２１から鉛直上方に向かって伸びるように配置されている。給水管２３１の下端は、タンク２０の外部において不図示の水道管に接続されている。また、給水管２３１の上端は、タンク２０の内部において主弁２３３に下方から接続されている。給水管２３１は、タンク２０の内部のうち左右方向における中央よりも左側となる位置に配置されている。
【００４７】
給水管２３１の途中（水道管と主弁２３３との間）には、図３では図示しない定流量弁２３２が配置されている。主弁２３３が開いた状態において主弁２３３に流入する水の流量は定流量弁２３２によって一定となり、水道管内の水圧によって変動することがない。
【００４８】
主弁２３３は開閉弁であって、給水管２３１からジェットポンプユニット３００に向かう水の流路の開閉を行うものである。主弁２３３とジェットポンプユニット３００との間にはバキュームブレーカー２３５が備えられており、バキュームブレーカー２３５の上流側が負圧となって水が逆流してしまうことが防止されている。なお、上記のように給水管２３１が上方に向かって伸びており、主弁２３３とバキュームブレーカー２３５とはタンク２０内の高い位置に配置されている。このため、タンク２０の水位が満水位となった状態においても、バキュームブレーカー２３５が水没してしまうことはない。
【００４９】
主弁２３３にはパイロット弁２３４が備えられており、パイロット弁２３４の動作によって主弁２３３の開閉が切り替えられる構成となっている。パイロット弁２３４には、タンク２０の外側に配置された操作レバー２３６が、タンク２０の内部に配置された伝達機構２３７を介して接続されている。また、パイロット弁２３４には、タンク２０の内部に配置されたフロート２３８が更に接続されている。
【００５０】
水洗大便器装置ＦＴの使用者によって操作レバー２３６が操作されると、当該操作が伝達機構２３７を介してパイロット弁２３４に伝達され、パイロット弁２３４が開かれる。これにより主弁２３３が開かれた状態となり、給水管２３１からジェットポンプユニット３００に向かって水が流れる。後に説明するように、ジェットポンプユニット３００に向かって流れた水は、タンク２０の内部に貯留されていた水と共に洗浄水として導水路１３０に供給される。このため、タンク２０の内部における水位は次第に低下していく。
【００５１】
ボウル部１１０の洗浄が終了した後も、主弁２３３は閉じられず、給水管２３１からジェットポンプユニット３００に向かって引き続き水が流れる。ジェットポンプユニット３００に向かって流れた水はタンク２０の内部に供給されて、次回の洗浄のために貯留される。タンク２０の内部に向けた水の供給（タンク２０への注水）が行われると、タンク２０の内部における水位は次第に上昇して行く。タンク２０の内部においてパイロット弁２３４に接続されているフロート２３８は、水位の上昇に伴って上昇し、これによりパイロット弁２３４が閉じられる。
【００５２】
このように、タンク２０の内部における水位が上昇すると、フロート２３８が受ける浮力の変化によってパイロット弁２３４が閉じられる。パイロット弁２３４が閉じられると、主弁２３３が閉じられた状態となり、給水管２３１からジェットポンプユニット３００への水の供給が停止される。この時点においてタンク２０の内部に貯留されている水の量が、次回の洗浄のために必要な量となるように（所定の満水位となるように）、フロート２３８の配置が調整されている。
【００５３】
ジェットポンプユニット３００は、給水管２３１から供給された水によりジェットポンプ作用を誘発させ、これにより導水路１３０に向けた水の供給を行うためのものである。ジェットポンプユニット３００は、ノズル３１０と、スロート管３２０とを有している。
【００５４】
ノズル３１０は、一端が接続管３３９を介してバキュームブレーカー２３５に接続されており、他端には噴射口３１１が形成されている管である。ノズル３１０は、第二タンク部２２０の底壁２２１の近傍に配置されている。主弁２３３が開かれると、給水管２３１から供給された水は、接続管２３９を流れてノズル３１０に到達し、噴射口３１１から高速の水流として噴射される。ノズル３１０は、第二タンク部２２０のうち後方側且つ右側の隅（上面視における隅）に配置されている。図３に示したように、ノズル３１０はＵ字形状となっており、その下流側が上記隅から折り返されている。噴射口３１１は、その噴射方向がスロート管３２０の内部に向けられている。
【００５５】
スロート管３２０は、断面が円形の管であって、底壁２１１に形成された開口２１２を一部が貫通した状態で、タンク２０の内部に配置されている。スロート管３２０の一端は導水路１３０の入口１３１に接続されており、他端には開口である吸引口３２１が形成されている。スロート管３２０は、導水路１３０の入口１３１側の部分が鉛直方向に沿っており、吸引口３２１側の部分が水平面に対して傾斜している。このため、その全体が逆Ｕ字形状となっている。図２に示したように、スロート管３２０は、上面視において前後方向に対して傾斜した状態で、タンク２０の内部に配置されている。
【００５６】
スロート管３２０の具体的な形状について更に詳しく説明する。スロート管３２０は、吸引口３２１から斜め上方に向けて伸びる上昇部３２２と、上昇部３２２の下流側（上側）に配置された屈曲部３２３と、屈曲部３２３の下流側（下側）に配置され、屈曲部３２３から下方に向かって伸びる下降部３２４とを有する。
【００５７】
上昇部３２２は、その管径が全体において均一な円筒形状の管であって、水平面に対して傾斜した状態で配置されている。吸引口３２１は上昇部３２２の下端に形成されている。吸引口３２１は、その縁の全体が水平面に沿うように（水平面と平行になるように）形成されている。
【００５８】
下降部３２４は、その管径が全体において均一な円筒形状の管であって、鉛直方向に沿って配置されている。下降部３２４の管径は、上昇部３２２の管径よりも大きい。屈曲部３２３のうち上昇部３２２側の管径は、上昇部３２２の管径に等しい。また、屈曲部３２３のうち下降部３２４側の管径は、下降部３２４の管径に等しい。このため、管径が互いに異なる上昇部３２２と下降部３２４とが、屈曲部３２３によって滑らかに繋がれているということができる。
【００５９】
図４は、タンク２０の内部における構成を模式的に示している。既に説明したように、タンク２０の内部には、給水管２３１と、主弁２３３と、ジェットポンプユニット３００とが配置されている。
【００６０】
ボウル部１１０の洗浄が行われていない状態（待機状態）においては、タンク２０の水位は満水位となっている。水洗大便器装置ＦＴの使用者によって操作レバー２３６が操作されると、既に説明したように主弁２３３が開かれた状態となり、ノズル３１０の噴射口３１１から水が噴射される（図４の矢印ＡＲ１）。タンク２０の内部に貯留されていた水は、スロート管３２０の内部に引き込まれて（図４の矢印ＡＲ２）、洗浄水としてリム部１２０に供給される（図４の矢印ＡＲ３）。
【００６１】
リム部１２０への水の供給が終了すると、ノズル３１０からの水の供給先が進行方向切替手段３５０によって切り替えられて、タンク２０への注水が開始される（図４の矢印ＡＲ４）。タンク２０内の水位は次第に上昇して行き、満水位となった時点でフロート２３８によりパイロット弁２３４が閉じられる。これと同時に主弁２３３が閉じられることによりタンク２０への注水が終了し、待機状態に戻る。
【００６２】
タンク２０の内部におけるその他の構成について、再び図３を参照しながら説明する。図３に示したように、タンク２０の内部にはスロート管３２０の下降部３２４を囲むような隔壁２４０が配置されている。隔壁２４０は、底壁２１１から上方に向かって伸びるように形成されている。隔壁２４０、タンク２０の前側壁面２１３、左側壁面２１４、及び第一タンク部２１０の底壁２１１によって、タンク２０の内部空間の一部が区画され、小タンク２６０が構成されている。小タンク２６０は、その上部がタンク２０の内部に開放された容器であって、第一タンク部２１０のうち前方側且つ左側の隅に配置されている。スロート管３２０は、下降部３２４の下端部分が小タンク２６０の内側に配置されている。また、吸引口３２１が小タンク２６０の外側に配置されている。
【００６３】
隔壁２４０のうち下端部近傍には開閉窓２４１が設けられている。開閉窓２４１は通常は開かれた状態となっており、開閉窓２４１を通じて小タンク２６０の内部と外部（隔壁２４０よりも後方側の空間）とが連通している。このため、ボウル部１１０の洗浄が行われていない状態（待機状態）においては、タンク２０内に貯留された水の水位と、小タンク２６０内に貯留された水の水位は等しくなっている。
【００６４】
操作レバー２３６は、二つの方向（大方向、小方向）に操作することが可能である。操作レバー２３６が大方向に操作された場合には、開閉窓２４１が開かれた状態のまま、パイロット弁２３４及び主弁２３３が開かれる。小タンク２６０に貯留されていた水は、開閉窓２４１を通過して第二タンク部２２０に流出し、吸引口３２１に到達する。このため、タンク２０の内部に貯留されていた水は、小タンク２６０に貯留されていた分を含む殆どが、スロート管３２０の内部に引き込まれてリム部１２０に供給される。
【００６５】
一方、操作レバー２３６が、小方向に操作された場合には、開閉窓２４１が閉じられると同時にパイロット弁２３４及び主弁２３３が開かれる。このため、タンク２０の内部に貯留されていた水のうち小タンク２６０に貯留されていた水は、開閉窓２４１を通過することができずに小タンク２６０の内部に残留したままとなる。その結果、洗浄水としてリム部１２０に供給される水の量は少量となる。
【００６６】
なお、以下の説明において「タンク２０に貯留されている水の水位」又は「タンク２０内の水位」等というときには、小タンク２６０の外部における水位を示すものとする。すなわち、隔壁２４０によって二つに分けられた空間のうち、吸引口３２１が配置されている方の空間に貯留されている水の水位を示すものとする。小タンク２６０に貯留されている水の水位については、以下の説明では考慮しない。
【００６７】
続いて、リム部１２０へ洗浄水として供給される水の流量（吐水部１３３、１３５に供給される水の流量といってもよい）について、図５を参照しながら説明する。図５は、水洗大便器装置ＦＴの、洗浄時における動作の流れを説明するためのフローチャートである。
【００６８】
まず、水洗大便器装置ＦＴの使用者によって操作レバー２３６が操作されると（ステップＳ０１）、ノズル３１０から水が噴射され、既に説明したようにジェットポンプ作用によってリム部１２０に水が供給される（ステップＳ０２）。
【００６９】
ノズル３１０からの水の噴射が開始されてから、タンク２０内の水位が低下して、噴射された水の進行方向が進行方向切替手段３５０により切り替えられるときの位置（このときの水位を、以下では「第一水位」とも称する）となるまでの期間においては、ジェットポンプ効果によって大流量の水がリム部１２０に供給される（ステップＳ０３）。
【００７０】
タンク内の水位が第一水位まで低下すると、継続して噴射されているノズル３１０からの水により、タンク２０内への貯水が行われる（ステップＳ０４）。タンク２０内の水位が上昇して、満水位となると、ノズル３１０からの水の噴射が停止され、タンク２０内への水の貯水が停止される（ステップＳ０５、Ｓ０６）。
【００７１】
なお、ボウル部１１０の洗浄が行われた後において、封水ＷＴを形成するための水（リフィル水）をジェットポンプユニット３００からリム部１２０に追加供給する構成としてもよい。このようなリフィル水の供給は、タンク２０内への水の貯水が停止した時点（ステップＳ０５の直後）のタイミングにおいて、開始することが望ましい。
【００７２】
図６は、進行方向切替手段３５０に含まれる切替安定部材３５１及び遮蔽部３５２が、ノズル近傍を回動することを説明するための図である。図６（Ａ）は、切替安定部材３５１及び遮蔽部３５２の回動方向を示す図である。図６（Ａ）に示したように、切替安定部材３５１及び遮蔽部３５２は、回動機構（回動軸）３５３を軸に、反時計回りの第一方向Ｄ１又は時計回りの第二方向Ｄ２に回動する。また、第一方向Ｄ１は、遮蔽部３５２にとって、ノズルの噴射口３１１を覆う方向であり、第二方向Ｄ２は、第一方向Ｄ１とは逆方向である。
【００７３】
進行方向切替手段３５０は、棒状の部材であって、その長手方向に沿った一端には切替安定部材３５１を有し、他端には遮蔽部３５２を有する。なお、進行方向切替手段３５０は、先に参照した図３等においては図示を省略していたものである。
【００７４】
図６（Ｂ）は、ノズル３１０から噴射された水がスロート管３２０の内部に向かう便器洗浄モードにおける、切替安定部材３５１と、遮蔽部３５２と、ノズル３１０との位置関係を示す図である。図６（Ｂ）に示したように、便器洗浄モード時では、切替安定部材３５１及び遮蔽部３５２は、第二方向Ｄ２において最大限回動している位置にある。
【００７５】
また、図６（Ｂ）に示したように、進行方向切替手段３５０は、ノズル３１０から噴射された水の進行方向を、タンク２０内の水位に連動して切り替えるフロート部材３５４を有してもよい。このフロート部材３５４は、切替安定部材３５１の一部として構成されてもよい。切替安定部材３５１は、ノズル３１０近傍で回動させるように構成される。
【００７６】
図６（Ｃ）は、ノズル３１０から噴射された水がスロート管３２０の外部に向かうタンク貯水モードにおける、切替安定部材３５１と、遮蔽部３５２と、ノズル３１０との位置関係を示す図である。図６（Ｃ）に示したように、タンク貯水モード時では、切替安定部材３５１及び遮蔽部３５２は、第一方向Ｄ１において最大限回動している位置にある。
【００７７】
また、図６（Ｃ）に示したように、遮蔽部３５２は、便器洗浄モードからタンク貯水モードに切り替わる際に、ノズル３１０から噴射された水を第二方向Ｄ２に指向させるように構成されたガイド面３５５（方向転換部分とも言う）を有する。ノズル３１０から噴射された水は、このガイド面３５５に沿って、進行方向がスロート管３２０の外部に向かうようになる。
【００７８】
図７は、便器洗浄モード時における水の流れ及び誘引される水により受ける力の関係を説明するための図である。図７（Ａ）は、便器洗浄モード時の水の流れを示す図である。図７（Ａ）に示したように、便器洗浄モード時には、ノズル３１０から噴射された水（ジェット水とも言う）は、スロート管３２０内部に向かって進行する。このとき、タンク２０内に貯水された水は、ジェット水に誘引されてスロート管３２０内部に引き込まれ、ジェット水と引き込まれた水とを合わせた大流量の水が導水路１３０に供給される。
【００７９】
図７（Ｂ）は、便器洗浄モード時の切替安定部材３５１及び遮蔽部３５２に作用する力を示す図である。図７（Ｂ）に示したように、第一方向の力Ｆ１は、便器洗浄モード時に、誘引される水により遮蔽部３５２に対して付与される力を表す。第二方向の力Ｆ２は、便器洗浄モード時に、誘引される水により切替安定部材３５１に対して付与される力を表す。
【００８０】
第一方向の力Ｆ１を受ける遮蔽部３５２の第一受圧面と、第二方向の力Ｆ２を受ける切替安定部材３５１の第二受圧面との大きさについては、第一受圧面よりも、第二受圧面の方を大きくすると良い。
【００８１】
これにより、切替安定部材３５１の第二受圧面を遮蔽部３５２の第一受圧面より大きく形成することで、便器洗浄モード時にノズル３１０から噴射される水によって誘引される水により、切替安定部材３５１の第二受圧面が受ける力を大きくすることができる。つまり、便器洗浄モード時に、遮蔽部３５２の第一受圧面が、誘引される水により受ける第一方向の力よりも、切替安定部材３５１の第二受圧面が、誘引される水により受ける第二方向の力を大きくすることができるため、便器洗浄モード途中でタンク貯水モードに切り替わることがなく、モード切り替えの安定性をさらに向上させることができる。
【００８２】
図８は、便器給水時における進行方向切替手段３５０の位置及び力の受け方を説明するための図である。図８（Ａ）は、便器給水時における進行方向切替手段３５０の位置を示す図である。図８（Ａ）に示したように、タンク内において、タンク水位が十分高い位置にある場合（例えば水位がＬｅ１の位置にある場合）は、進行方向切替手段３５０は、便器洗浄モード時の位置で維持される。つまり、切替安定部材３５１及び遮蔽部３５２は、第二方向において最大限回動している位置にある。便器洗浄モード時に、進行方向切替手段３５０が図８（Ａ）に示す位置に維持される理由を、図８（Ｂ）を用いて説明する。
【００８３】
図８（Ｂ）は、便器給水時に進行方向切替手段３５０が受ける力を示す図である。図８（Ｂ）に示したように、力Ｆ１は、遮蔽部３５２が、誘引される水から受ける力を表し、力Ｆ２は、切替安定部材３５１が、誘引される水から受ける力を表す。また、力Ｆ３は、フロート部材３５４による浮力を表し、力Ｆ４は、切替安定部材３５１の自重による力を表す。力の符号（Ｆ１〜Ｆ４）は、以降で用いられる場合、図８（Ｂ）に示す意味と同じ意味で用いることとする。
【００８４】
進行方向切替手段３５０が受けるこれらの力のうち、力Ｆ２とＦ３が、便器洗浄モードを維持する方向（Ｄ２）の力を表し、力Ｆ１とＦ４が、タンク貯水モードに切り替える方向（Ｄ１）の力を表す。図８（Ｂ）に示す場合、タンク２０内に多くの水が貯まっている状態であるので、フロート部材３５４が受ける浮力Ｆ３は、自重Ｆ４よりも大きい。また、図７（Ｂ）で説明したように、切替安定部材３５１及び遮蔽部３５２の受圧面の大きさの関係から、Ｆ２＞Ｆ１が成り立つ。そのため、ジェット水の進行方向の切り替えに関する力関係は、Ｆ２＋Ｆ３＞Ｆ１＋Ｆ４が成り立ち、図８（Ａ）に示した便器洗浄モード時の位置関係が維持される。
【００８５】
図９は、便器洗浄モードからタンク貯水モードに切り替わる直前の進行方向切替手段３５０の位置及び力の受け方を説明するための図である。図９（Ａ）は、便器洗浄モードからタンク貯水モードに切り替わる直前の進行方向切替手段３５０の位置を示す図である。図９（Ａ）に示したように、タンク内において、タンク水位がスロート管３２０の吸引口３２１付近にある場合（例えば水位がＬｅ２の位置にある場合）、進行方向切替手段３５０は、便器洗浄モードからタンク貯水モードに切り替わる直前の状態となる。
【００８６】
図９（Ｂ）は、便器洗浄モードからタンク貯水モードに切り替わる直前の進行方向切替手段３５０が受ける力を示す図である。図９（Ｂ）に示したように、タンク内の水が減っており、切替安定部材３５１が受ける浮力Ｆ３が小さくなる。これにより、浮力Ｆ３＜自重Ｆ４の関係が成り立つようになる。よって、ジェット水の進行方向の切り替えに関する力関係は、タンク内の水位が低くなると、Ｆ２＋Ｆ３＞Ｆ１＋Ｆ４からＦ２＋Ｆ３≒Ｆ１＋Ｆ４となり、その後、Ｆ２＋Ｆ３＜Ｆ１＋Ｆ４となった時点で、進行方向切替手段３５０が反時計回り（タンク貯水モードに切り替わる方向）に回動し始める。
【００８７】
図１０は、便器洗浄モードからタンク貯水モードに切り替わる途中における進行方向切替手段３５０の位置及び力の受け方を説明するための図である。図１０（Ａ）は、便器洗浄モードからタンク貯水モードに切り替わる途中における進行方向切替手段３５０の位置を示す図である。図１０（Ａ）に示したように、モードの切り替え途中において、ノズル３１０から噴射された水（ジェット水）は、遮蔽部３５２により、スロート管３２０の内部に向かうものと、スロート管３２０の外部に向かうものとに分けられる。スロート管３２０の外部に向かうジェット水があるため、図１０（Ａ）に示すタンク内の水位は、図９（Ａ）に示すタンク内の水位Ｌｅ２よりも上昇する（例えば図１０（Ａ）に示す水位Ｌｅ３）。
【００８８】
図１０（Ｂ）は、便器洗浄モードからタンク貯水モードに切り替わる途中に進行方向切替手段３５０が受ける力を示す図である。図１０（Ｂ）に示したように、スロート管３２０外部に向かうジェット水による反力であり、タンク貯水モードに切り替える方向の力Ｆ５が、遮蔽部３５２に付与される。この力Ｆ５は、進行方向切替手段３５０が、タンク貯水モードに切り替わる方向に回動すれば回動するほど、時計回りの方向に向かうジェット水の量が多くなり、その反力も大きくなる。また、図１０（Ｂ）に示す場合、ジェット水が与える力Ｆ５が反時計回りの方向に加わるので、ジェット水の進行方向の切り替えに関する力関係は、Ｆ２＋Ｆ３＜Ｆ１＋Ｆ４＋Ｆ５が成り立つ。
【００８９】
これにより、遮蔽部３５２は、時計回りの方向に向かうジェット水の反力を利用して、タンク貯水モードに切り替わる方向（反時計回りの方向）の力を受けることとなり、便器洗浄モードからタンク貯水モードへと瞬時に切り替えることができ、切り替りの安定性を向上させることができる。
【００９０】
図１１は、タンク貯水時における進行方向切替手段３５０の位置及び力の受け方を説明するための図である。図１１（Ａ）は、タンク貯水時における進行方向切替手段３５０の位置を示す図である。図１１（Ａ）に示したように、ジェット水がスロート管３２０外部に向かう反力によって、進行方向切替手段３５０は、タンク貯水モード時の位置で維持される。つまり、切替安定部材３５１及び遮蔽部３５２は、第一方向において最大限回動している位置にある。また、ジェット水がスロート管３２０の外部に向かうため、タンク内の水位が上昇する（例えば図１１（Ａ）に示す水位Ｌｅ４）。
【００９１】
図１１（Ｂ）は、タンク貯水時に進行方向切替手段３５０が受ける力を示す図である。図１１（Ｂ）に示したように、タンク貯水時では、進行方向切替手段３５０は、スロート管３２０内部に誘引される水が存在しないので、力Ｆ１とＦ２とが進行方向切替手段３５０に加えられない。また、時計回りの方向に向かうジェット水が与える反力Ｆ５は、フロート部材３５４の浮力Ｆ３よりも大きいので、ジェット水の進行方向の切り替えに関する力関係は、Ｆ３＜Ｆ４＋Ｆ５が成り立ち、図１１（Ｂ）に示した便器洗浄モード時の位置関係が維持される。
【００９２】
次に、遮蔽部３５２が有するガイド面３５５について説明する。図１２は、便器洗浄モードからタンク貯水モードに切り替わる際に、ガイド面３５５に加えられる力を説明するための図である。図１２に示したように、便器洗浄モード時のジェット水が、遮蔽部３５２に少しでも干渉すると、ガイド面３５５によってジェット水が第二方向（Ｄ２）に指向される。このとき、ジェット水を第二方向に指向したガイド面３５５を有する遮蔽部３５２は、ジェット水の進行方向である第二方向とは逆の方向である第一方向（Ｄ１）に力Ｆ５を受ける。これにより、遮蔽部３５２は、ジェット水の力を受け、進行方向切替手段３５０は、タンク貯水モードに瞬時に切り替わることができる。
【００９３】
次に、フロート部材３５４の形状について説明する。図１３は、２つのフロート部材３５４の形状を比較するための図である。図１３（Ａ）は、垂直方向の長さよりも水平方向の長さの方が長いフロート部材Ａを示す図である。図１３（Ａ）に示すフロート部材Ａは、水平方向に広がった扁平形状となっている。図１３（Ｂ）は、垂直方向の長さの方が水平方向の長さより長いフロート部材Ｂを示す図である。図１３に示すＸ，Ｙ方向は水平面の方向を表し、Ｚ方向は、垂直方向を表す。
【００９４】
図１３の上面図に示したように、図１３（Ａ）に示すフロート部材Ａの断面積Ｓは、図１３（Ｂ）に示すフロート部材Ｂの断面積Ｓ’よりも大きい。つまり、Ｓ＞Ｓ’が成り立つ。また、図１３の側面図に示したように、図１３（Ａ）に示すフロート部材Ａの方が、図１３（Ｂ）に示すフロート部材Ｂよりも、垂直方向の長さが短い。
【００９５】
また、図１３に示したように、垂直方向における水位の減少分をｄとした場合、水位の減少分に対応するフロート部材の体積は、図１３（Ａ）に示すフロート部材Ａの体積Ｖ＝Ｓ×ｄであり、図１３（Ｂ）に示すフロート部材Ｂの体積Ｖ’＝Ｓ’×ｄである。ここで、Ｓ＞Ｓ’であるため、Ｖ＞Ｖ’となる。浮力の減少量としては、体積と相関関係があるため、体積が大きいほど、浮力の減少量が大きい。つまり、図１３（Ａ）に示すフロート部材Ａの方が、図１３（Ｂ）に示すフロート部材Ｂよりも浮力の減少量が大きい。
【００９６】
よって、図１３（Ａ）に示す、水平方向の長さの方が垂直方向の長さよりも長い扁平形状のフロート部材Ａを用いることで、タンク内の水位の減少に対して水中から出る体積を増やすことができ、フロート部材の浮力の減少量を大きくすることができる。このようにフロート部材の浮力の減少量をタンク内の水位の減少量に対して大きくすることで、便器洗浄モードからタンク貯水モードに切り替わる際に、フロート部材の浮力に連動して発生する第二方向の力もタンク内の水位の減少量に対して相対的に小さくなり、瞬時に便器洗浄モードからタンク貯水モードに切り替わることができる。このようにタンク内の水位の減少量に対して相対的に浮力の減少量を大きくすることで、モード切り替えを瞬時に行い、タンク内の水面の乱れによる影響を最小限に止めることが可能となり、便器洗浄モード中にタンク貯水モードに切り替わることや、タンク貯水モードに切り替える位置に到達しても便器洗浄モードが継続してしまうことを回避することができる。
【００９７】
図１４は、便器洗浄モード及びタンク貯水モード時のノズル３１０、スロート管３２０、遮蔽部３５２の位置関係について説明するための図である。図１４（Ａ）は、便器洗浄モード時の各部品の位置関係を示す図である。図１４（Ａ）に示したように、便器洗浄モード時において、遮蔽部３５２のガイド面３５５（方向転換部分）が、ジェット水に干渉しないようにスロート管３２０の外部に位置すればよい。つまり、便器洗浄モード時において、遮蔽部３５２の大部分がスロート管３２０の外部に位置し、遮蔽部３５２が、ジェット水にできるだけ干渉しない位置に存在すればよい。
【００９８】
図１４（Ｂ）は、タンク貯水モード時の各部品の位置関係を示す図である。図１４（Ｂ）に示したように、タンク貯水モード時において、遮蔽部３５２のガイド面３５５（方向転換部分）が、ジェット水の方向を転換できるようにスロート管３２０の内部に位置すればよい。つまり、タンク貯水モード時において、遮蔽部３５２の大部分がスロート管３２０の内部に位置し、ジェット水の進行方向を切り替えるような位置に存在すればよい。
【００９９】
図１４（Ｂ）に示したように、タンク貯水モード時に、遮蔽部３５２の大部分は、スロート管３２０内部に位置するため、ノズル３１０をスロート管３２０の吸引口に近づけることができ、ノズル３１０とスロート管３２０との間のスペースである、遮蔽部３５２が出入りするスペースを小さくすることができる。これにより、タンク２０の高さを低くし、タンク２０をさらに小型化することができる。
【０１００】
図１４（Ａ）に示したように、便器洗浄モード時に、遮蔽部３５２の大部分は、スロート管３２０の外部に位置するため、流速の速いジェット水との干渉を防ぐことができる。例えば、流速の速いジェット水と遮蔽部３５２とが干渉すると、圧損が生じてしまい、ジェットポンプ性能が低下してしまう。したがって、図１４に示したような構成を適用することで、ジェットポンプ性能の低下を防ぎつつ、タンク２０を小型化することが可能となる。
【０１０１】
次に、切替安定部材３５１の下面形状について説明する。図１５は、切替安定部材３５１の下面の例を示す図である。図１５（Ａ）は、下面が平らな形状をしている切替安定部材３５１Ａの例を示す図である。この場合、誘引される水を下から上に受ける場合の抗力係数Ｃｄは、参考値として例えば約１．１である。図１５（Ｂ）は、下面が下方向に凹となる形状をしている切替安定部材３５１Ｂの例を示す図である。この場合、誘引される水を下から上に受ける場合の抗力係数Ｃｄは、参考値として例えば約１．３である。また、図１５（Ｃ）は、下面が下方向に凸となる形状をしている切替安定部材３５１Ｃの例を示す図である。この場合、誘引される水を下から上に受ける場合の抗力係数Ｃｄは、参考値として例えば約０．３である。
【０１０２】
本実施の形態において、切替安定部材３５１の下面の形状は、ジェット水によって誘引される水の力を受けやすい形状とすることが望ましい。ここで、一般的に流速の向きに向って凹曲面のほうが凸曲面より抗力係数が高いことが知られており、図１５（Ａ）乃至１５（Ｃ）の抗力係数の大小関係はＡ＞Ｂ＞Ｃとなる。よって、図１５（Ａ）と図１５（Ｂ）とに示す切替安定部材の下面の形状は、本実施の形態で適用する形状として望ましい形状である。なお、図１５（Ｃ）に示す切替安定部材の下面の形状は、誘引される水の影響を受けにくいので、本実施の形態で適用する形状としては望ましくない形状である。
【０１０３】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。
【符号の説明】
【０１０４】
１０：大便器本体
１０１：上面
１１０：ボウル部
１２０：リム部
１３０：導水路
１３１：入口
１３２：第一導水路
１３３：吐水部
１３４：第二導水路
１３５：吐水部
１４０：排水トラップ管路
１４１：上昇流路
１４２：下降流路
２０：タンク
２０１：上蓋
２１０：第一タンク部
２１１：底壁
２１２：開口
２１３：前側壁面
２１４：左側壁面
２２０：第二タンク部
２２１：底壁
２３１：給水管
２３２，２３２ｂ：定流量弁
２３３：主弁
２３４：パイロット弁
２３５：バキュームブレーカー
２３６：操作レバー
２３７：伝達機構
２３８：フロート
２３９：接続管
２４０：隔壁
２４１：開閉窓
２６０：小タンク
３００：ジェットポンプユニット
３１０：ノズル
３１１：噴射口
３２０：スロート管
３２１：吸引口
３２２：上昇部
３２３：屈曲部
３２４：下降部
３５０：進行方向切替手段
３５１：切替安定部材
３５２：遮蔽部
３５３：回動機構（回動軸）
３５４：フロート
ＦＴ：水洗大便器装置
ＳＷ：排水管
ＷＴ：封水
【図１】
2015068066.tif 000003
【図２】
2015068066.tif 000004
【図３】
2015068066.tif 000005
【図４】
2015068066.tif 000006
【図５】
2015068066.tif 000007
【図６】
2015068066.tif 000008
【図７】
2015068066.tif 000009
【図８】
2015068066.tif 000010
【図９】
2015068066.tif 000011
【図１０】
2015068066.tif 000012
【図１１】
2015068066.tif 000013
【図１２】
2015068066.tif 000014
【図１３】
2015068066.tif 000015
【図１４】
2015068066.tif 000016
【図１５】
2015068066.tif 000017